(57)【要約】【課題】  ローラ等の機構部品点数を少なくして装置の小型化及びコストダウンを図ることができるシート後処理装置を提供すること。【解決手段】  搬送路の途中に待機トレイが設けられ、後処理が必要な場合にシートを待機させる。処理トレイ１２は、待機トレイから送られるシート及び待機トレイを経由せずに搬送路から送られるシートを後処理する前に受け取る。待機トレイを所定間隔隔てて配置された待機トレイ部品１０ａ，１０ｂにより構成しておき、待機トレイに載置された用紙を叩き落とし機構７１を作動させることにより処理トレイ１２に落下させるようにしている。【選択図】図１４
2006096454.tif 000002
【特許請求の範囲】
【請求項１】
ＭＦＰ本体から搬送されたシートを受取り搬送する複数のローラと、
搬送路の途中に設けられ、後処理が必要な場合に前記ローラから送られたシートを待機させる待機トレイであって、シートの搬送方向と直交する横方向に所定間隔隔てて配置された一対の待機トレイ部品からなる待機トレイと、
前記待機トレイから送られるシート及び待機トレイを経由せずに搬送路から送られるシートを後処理する前に受け取る処理トレイと、
前記待機トレイに積載されたシートを前記処理トレイに叩き落とす叩き落とし機構と、
前記処理トレイ上のシートの整合を行いシート束を形成する整合機構と、
前記処理トレイ上の整合されたシート束を後処理する後処理機構と、
後処理されたシート束を前記処理トレイから搬送するシート搬送手段と、
搬送されたシート束を積載する排紙トレイと、
を具備することを特徴とするシート後処理装置。
【請求項２】
前記待機トレイと前記処理トレイはそれぞれ傾いて配置されていることを特徴とする請求項１に記載のシート後処理装置。
【請求項３】
前記整合機構は、縦整合機構と横整合機構を有することを特徴とする請求項１に記載のシート後処理装置。
【発明の詳細な説明】
【技術分野】
【０００１】
本発明は、ＭＦＰの後段に設けられるフィニッシャー等のシート後処理装置に関する。
【背景技術】
【０００２】
ＭＦＰ（Multi Function Peripheral）でプリントしたシートを複数束ねてステイルプルするフィニシャーが知られている。このフィニシャーでは、ＭＦＰから送られたシートを順次処理トレイに搬送し、ステイプラにより綴じて排出トレイに排紙する。
【０００３】
フィニッシャーでの後処理では、ステイプラによる綴じ処理が存在するので、ＭＦＰでの処理速度を吸収する遅延機構が必要であり、そのため搬送路を長くしている（特許文献１）。
【０００４】
この特許文献１のものでは、ソート経路とノンソート経路の２つのシートパスが存在するため、ローラ等の機構部品がソート経路の分だけ多くなっている。
【０００５】
なお、ステイプラによる綴じ作業が終わると、用紙束を排紙トレイ上に移動させるために用紙を揃えるためのジョガー台が退避するように構成された用紙後処理装置が知られている（特許文献２）。
【特許文献１】特公平６−９９０７０号公報
【特許文献２】特開平８−２１７３２１号公報
【発明の開示】
【発明が解決しようとする課題】
【０００６】
本発明の目的は、ローラ等の機構部品点数を少なくして装置の小型化及びコストダウンを図ることができるシート後処理装置を提供することである。
【課題を解決するための手段】
【０００７】
本発明のシート後処理装置は、ＭＦＰ本体から搬送されたシートを受取り搬送する複数のローラと、搬送路の途中に設けられ、後処理が必要な場合に前記ローラから送られたシートを待機させる待機トレイであって、シートの搬送方向と直交する横方向に所定間隔隔てて配置された一対の待機トレイ部品からなる待機トレイと、前記待機トレイから送られるシート及び待機トレイを経由せずに搬送路から送られるシートを後処理する前に受け取る処理トレイと、前記待機トレイに積載されたシートを前記処理トレイに叩き落とす叩き落とし機構と、前記処理トレイ上のシートの整合を行いシート束を形成する整合機構と、
前記処理トレイ上の整合されたシート束を後処理する後処理機構と、後処理されたシート束を前記処理トレイから搬送するシート搬送手段と、搬送されたシート束を積載する排紙トレイと、を具備することを特徴とする。
【発明の効果】
【０００８】
本発明では、ソートもノンソートも同一のシート搬送経路を使用するようにしたので、ローラ等の機構部品を少なくすることにより、装置の小型化及びコストダウンを図ることができる。
【発明を実施するための最良の形態】
【０００９】
図を参照して本発明の実施例を説明する。
【００１０】
図１は本発明の後処理装置の斜視図、図２は本発明の後処理装置の上面図を表している。この後処理装置は基本的に待機トレイ１０、処理トレイ１２、ステイプラ１４、第１の排紙トレイ１６、第２の排紙トレイ１８とからなる。
【００１１】
ＭＦＰ1（図７参照）から送られてくる用紙２０は、一対の入り口ローラ２２で受け取られ、一対の給紙ローラ２４に供給され、給紙ローラ２４から待機トレイ１0に送られる。入り口ローラ２２は入口ローラモータ２６で駆動される。
【００１２】
入口ローラ２２は、上入口ローラ２２ａ、下入口ローラ２２ｂからなる。給紙ローラも上給紙ローラ、下給紙ローラからなる。
【００１３】
待機トレイ１０は図１５に示すように所定間隔隔てて配置された断面がＬ字状の一対の待機トレイ部品１０ａ、１０ｂからならなる。この待機トレイ部品１０ａと１０ｂ間に用紙２０が載置される。つまり、図１５に示すように用紙２０の横側辺が待機トレイ部品１０ａ，１０ｂに引っかかるようにして載置されている。なお、待機トレイ１０は斜めに傾けられて配置されているため、待機トレイ１０に載置された用紙の最下部を保持するための保持部１０ｃが設けられている。
【００１４】
ここで、待機トレイ１０及び処理トレイ１２の用紙２０の搬送方向の幅は、用紙２０の搬送方向の幅より小さい。そして、用紙２０が処理トレイ１２に落下したときには、用紙２０は処理トレイ１２と排紙トレイ（図２に示す）に跨って積載される。
【００１５】
このように構成することにより、後処理装置の用紙の搬送方向に沿った幅を小さくすることができる。
【００１６】
そして、図１４に示すように待機トレイ部品１０ａと１０ｂとの中間位置の上方には、用紙２０を処理トレイ１２に叩き落とすための叩き落とし機構７１が設けられている。この叩き落とし機構７１は、ソレノイド７２と、このソレノイド７２の励磁、非励磁に応じてそれぞれ吸引、吐出されるプランジャ７３と、このプランジャ７３の一端に取り付けられＡ点を中心に回動自在に支持されているＬ字状叩き落とし部材７４から構成される。なお、ソレノイド７２への通電制御は後述するコントローラ８５により制御される。
【００１７】
また、待機トレイ部品１０ａと１０ｂは図１６に示すように用紙２０の幅に応じて待機トレイ１０ａと１０ｂとの間隔を調整するための用紙幅調整機構８１が設けられている。この用紙幅調整機構８１は、待機トレイ部品１０ａ，１０ｂにそれぞれ連結されるラックピニオン機構８２と、ピニオンギア８３の回転を制御するステッピングモータ８４と、このステッピングモータ８４の回転を制御するコントローラ８５より構成される。
【００１８】
図３に示すように、待機トレイ１０に所定の枚数の用紙が蓄積されると、ソレノイド７２に励磁されてプランジャ７３が図１４の矢印のごとく吸引される。この結果、叩き落とし部材７４が矢印方向に回動する。これにより、待機トレイ１０に載置されている用紙２０の中央部は叩き落とし部材７４より下方に力を受け、図１５の破線で示すように撓んで、処理トレイ１２に自重により落下する。この動作をアクティブドロップという。
【００１９】
ＭＦＰ１から送られる用紙を待機トレイ１０、処理トレイ１２に案内するためにペーパーパスが設けられているが、このペーパーパスはペーパーパス天井３６により構成される。
【００２０】
処理トレイ１２に送られた用紙は、縦と横の整合が実行される。縦整合は、図４に示すように縦整合ローラ３８によりなされ、縦整合上ローラ３８ａは縦整合上ローラモータ４０により、縦整合下ローラ３８ｂは縦整合下ローラモータ４２により駆動され、用紙をストッパー４５を基準に揃える。またこの整合を補助するためにパドル４４が設けられ、このパドル４４はパドルモータ４６により駆動される。
【００２１】
横整合は図５に示すように、横整合機構４７と横整合モータ４８とにより実行される。
【００２２】
処理トレイ１２に所定の枚数の用紙が整合され蓄積されると、ステイプル処理がステイプラ１４により行われる。図６に示すように、ステイプラ１４はステイプル駆動部４９により位置決めされ、ステイプル処理を制御される。
【００２３】
ステイプル処理された用紙束は、図４に示すように、搬送機構５０により排紙トレイ16に送られる。排紙トレイ１６、１８の選択は、排紙トレイ駆動部５２により排紙トレイ１６、１８を上下移動させてなされる。
【００２４】
図７乃至１６を参照して本発明の後処理装置の動作を説明する。
【００２５】
図７に示すように、ＭＦＰ１から送られてきた用紙２０は入口ローラ２０を介して矢印で示すように給紙ローラ２４に送られる。
【００２６】
次に図８に示すように、給紙ローラ２４を通って待機トレイ１０に１枚目の用紙が蓄積される。その際待機トレイ１０に供給された用紙２０は自重により待機トレイ１０の後端（上流側）６０に位置合わせされる。
【００２７】
次に、図９に示されるように２枚目の用紙２０ａが待機トレイ１０に送られ、用紙２０の自重により用紙の位置が待機トレイ１０の後端６０に整えられる。このようにして待機トレイ１０には２枚の用紙２０、２０ａからなる用紙束２０ｂが形成される。
【００２８】
次に、ソレノイド７２が励磁されてプランジャ７３が図１４の矢印のごとく吸引される。この結果、叩き落とし部材７４が矢印方向に回動する。これにより、待機トレイ１０に載置されている用紙２０の中央部は叩き落とし部材７４より下方に力を受け、図１５の破線で示すように撓んで、処理トレイ１２に自重により落下する。
【００２９】
このアクティブドロップにより、用紙束２０ｂは処理トレイ１２に送られる。
【００３０】
その後、３枚目からは、待機トレイ部品１０ａと１０ｂとの間隔を用紙２０の幅より広く開けておくことにより、用紙２０ｃは、図１１に示されるように待機トレイ１０を経由せずに、給紙ローラ２４から直接処理トレイ１２に送られ、２枚の用紙束２０ｂ上に堆積されて所定枚数の用紙束２１を形成する。この際、縦横整合機構３８、４７が機能して、縦横の用紙整合が実行される。
【００３１】
なお、待機トレイ１０及び処理トレイ１２は、斜めに傾けられて配置されることが望ましい。即ち、それぞれの後端６０，６２が最も下に位置するようにし、用紙２０及び用紙束２１の自重によって用紙２０及び用紙束２１が後端６０、６２に整合可能にする。
【００３２】
次に図１２に示すように、用紙束２１をステイプラ１４によりステイプル処理する。そして、図１３に示すように、搬送機構５０により用紙束２０を排紙トレイ１６に送り、後処理が終了する。
【００３３】
なお、後処理を必要としない場合（ノンソート）には、待機トレイ部品１０ａと１０ｂとの間隔を用紙２０の幅より広く開けておき、待機トレイ１０から直接処理トレイ１２を経由して排紙トレイ１６に排紙する。
【００３４】
このように実施の形態によれば、後処理を行うソート処理及び後処理を必要としないノンソート処理の場合にも用紙２０は同一経路を辿って排出されるため、ローラ等の機構部品を少なくすることにより、装置の小型化及びコストダウンを図ることができる。
【００３５】
本発明の実施例を一実施形態を参照して説明してきたが、本発明はこの実施例に限定されない。実施例に示された各構成要素はその機能が同じであれば他の構成要素に変更可能である。
【図面の簡単な説明】
【００３６】
【図１】本発明の後処理装置の斜視図である。
【図２】本発明の後処理装置の上面図である。
【図３】本発明の待機トレイの動作を説明する図である。
【図４】本発明の後処理装置の縦整合と用紙束搬送機構を説明する図である。
【図５】本発明の後処理装置の横整合機構を説明する図である。
【図６】本発明の後処理装置のステイプラの動作を説明する図である。
【図７】本発明の後処理装置における入口ローラと給紙ローラ間における１枚目の用紙の流れを説明する図である。
【図８】本発明の後処理装置における給紙ローラと待機トレイ間における１枚目の用紙の流れを説明する図である。
【図９】本発明の後処理装置における給紙ローラと待機トレイ間における２枚目の用紙の流れを説明する図である。
【図１０】本発明の後処理装置におけるアクティブドロップの動作を説明する図である。
【図１１】本発明の後処理装置における３枚目の用紙の流れを説明する図である。
【図１２】本発明の後処理装置におけるステイプラの動作を説明する図である。
【図１３】本発明の後処理装置における処理トレイと排紙トレイ間の用紙束の流れを説明する図である。
【図１４】本発明の後処理装置における叩き落とし機構を示す図である。
【図１５】本発明の後処理装置における待機トレイを説明するための図である。
【図１６】本発明の後処理装置における用紙幅調整機構を説明するための図である。
【符号の説明】
【００３７】
１０・・・待機トレイ、１２・・・処理トレイ、１４・・・ステイプラ、１６・・・第１の排紙トレイ、１８・・・第２の排紙トレイ、２０・・・用紙、２１・・・用紙束、２２・・・入り口ローラ、２２ａ・・・上入口ローラ、２２ｂ・・・下入口ローラ、２４・・・給紙ローラ、２６・・・入口ローラモータ、３６・・・ペーパーパス天井、３８・・・縦整合ローラ３８、４０・・・縦整合上ローラモータ、４２・・・縦整合下ローラモータ、４４・・・パドル、４５・・・ストッパー、４６・・・パドルモータ、４７・・・横整合機構、４９・・・ステイプル駆動部、５０・・・搬送機構、５２・・・排紙トレイ駆動部、６０・・・待機トレイの後端、６２・・・処理トレイの後端、７１・・・叩き落とし機構、８１・・・用紙幅調整機構。
【図１】
2006096454.tif 000003
【図２】
2006096454.tif 000004
【図３】
2006096454.tif 000005
【図４】
2006096454.tif 000006
【図５】
2006096454.tif 000007
【図６】
2006096454.tif 000008
【図７】
2006096454.tif 000009
【図８】
2006096454.tif 000010
【図９】
2006096454.tif 000011
【図１０】
2006096454.tif 000012
【図１１】
2006096454.tif 000013
【図１２】
2006096454.tif 000014
【図１３】
2006096454.tif 000015
【図１４】
2006096454.tif 000016
【図１５】
2006096454.tif 000017
【図１６】
2006096454.tif 000018